(57)【特許請求の範囲】
【請求項１】
壁面に固定されたガイドレールと、該ガイドレールにスライド可能に支持されシャワーヘッドを掛止し得るフックが設けられたハンガー本体とからなり、該ハンガー本体にはガイドレールに恒常的に圧接しスライド抵抗を及ぼすスプリングと、ガイドレールに押圧片を圧着させる締付ハンドルを設け、該ハンガー本体にフックを傾動可能に枢着すると共に前記締付ハンドルにより該フックが傾動不能に固定されるようにしたことを特徴としたスライド式シャワーハンガー。
【請求項２】
フックに傾動抵抗を及ぼす手段を設けた請求項１に記載のスライド式シャワーハンガー。
【請求項３】
締付ハンドルと押圧片との間にスプリングを配設し押圧片を介してガイドレールにスライド抵抗を及ぼすようにした請求項１または２に記載のスライド式シャワーハンガー。
【請求項４】
壁面に固定されたガイドレールと、該ガイドレールにスライド可能に支持されシャワーヘッドを掛止し得るフックが設けられたハンガー本体とからなり、該ハンガー本体にはガイドレールに恒常的に圧接しスライド抵抗を及ぼすスプリングと、ガイドレールに押圧片を圧着させる締付ハンドルを設け、該締付ハンドルと押圧片との間に前記スプリングを配設し該押圧片を介してガイドレールにスライド抵抗を及ぼすようにしたことを特徴としたスライド式シャワーハンガー。
【発明の詳細な説明】
【０００１】
【発明の属する技術分野】
本発明は、シャワーの高さおよび傾斜角度を任意に調節し得るスライド式シャワーハンガーに関するものである。
【０００２】
【従来の技術】
浴室，シャワールーム等の壁面に設置されシャワーヘッドの支持高さおよび傾斜角度が使用者によって調節できるようにしたスライド式シャワーハンガーは、実公昭６２−２７５６４号公報等により知られている。同公報に示されたスライド式シャワーハンガーは、壁面に竪に固着されたガイドバーに沿ってスライド体が嵌合され、該スライド体に高さ決ハンドルと角度決ハンドルが夫々設けられ、該高さ決ハンドルを操作することにより該スライド体をガイドバー上の任意の高さに固定でき、該角度決ハンドルを操作することにより該スライド体に設けられたシャワーフックの角度を調節しシャワーの傾斜角度が任意に設定できるようにしたものである。
しかしこのスライド式シャワーハンガーでは、高さ決ハンドルと角度決ハンドルとが別々であるので、使用時操作箇所を間違えるおそれがあり、不慣れであると扱い難いとともに、高さ決ハンドルを緩めてスライド体の固定を解除すると、シャワーヘッドが掛けられたスライド体の重量がいきなり高さ決ハンドルを持った手に加わるため落下するおそれがあり、このために高さ調整が行い難い欠点があった。なお、同公報のスライド式シャワーハンガーでは、スライド体を軟質押え具を介在させてガイドバーに固定できるようにしているが、高さ決ハンドルの締付により長期間その軟質押え具がガイドバーに押圧されているとその弾性復元性が無くなるために上記のような欠点が解消されていなかった。
【０００３】
また、実開平２−６７７１号公報に示されたスライド式シャワーハンガーは、ガイドバーを挟むように一対のスプリングが設けられ該スプリングの弾性がガイドバーに作用することでスライド体を任意の高さで止められるようにしている。しかし、このようにスプリングの弾性のみでスライド体を支持する構成では、満水状態のシャワーヘッドが掛けられるとその重量に対してスプリング力が不足してスライド体がズレ落ちたり、或いは反対にスプリング力が強すぎると高さ調節の際にスライドがスムーズに出来なかったりし、さらにはスライド体とガイドバーとの摩擦抵抗もその摩擦面の状態変化により変化するため、スプリングの強度設定が難しく、使い勝手が悪いなどの欠点があった。
【０００４】
さらに実開平２−４７２６２号公報に示されたシャワーヘッドの保持装置ではガイドバーを常時押圧するスプリングをスライド体内に設けて該スプリングの復元力によりスライド体を所望高さに固定できるようにすると共に、該スプリングの復元力がガイドバーに加わらないようにできるリリース片を介在させ、該リリース片を押圧操作することによりスライド体をガイドバーに沿って上下にスライドできるようにしている。しかしこの装置では、スライド体を保持し得るに充分な強力なスプリングを要し、そのスプリング力に抗してリリース片を押圧操作しなければ高さ調節ができないため、指先に力を要し老人や子供等の使用には適さない欠点があった。
【０００５】
【発明が解決しようとする課題】
そこで本発明は、上記欠点を解消し、操作が容易で簡単に高さ調節および角度調節ができる使い勝手のよいスライド式シャワーハンガーを提供しようとするものである。
【０００６】
【課題を解決するための手段】
そのために本発明のスライド式シャワーハンガーは、壁面に固定されたガイドレールと、該ガイドレールにスライド可能に支持されシャワーヘッドを掛止し得るフックが設けられたハンガー本体とからなり、該ハンガー本体にはガイドレールに恒常的に圧接しスライド抵抗を及ぼすスプリングと、ガイドレールに押圧片を圧着させる締付ハンドルを設け、該ハンガー本体にフックを傾動可能に枢着すると共に前記締付ハンドルにより該フックが傾動不能に固定されるようにしたことを特徴とする。
さらに本発明は上記スライド式シャワーハンガーにおいて、フックに傾動抵抗を及ぼす手段を設けたことを特徴とする。この手段としては具体的にはＯリングがある。
さらに本発明は上記スライド式シャワーハンガーにおいて、締付ハンドルと押圧片との間にスプリングを配設し押圧片を介してガイドレールにスライド抵抗を及ぼすようにしたことを特徴とする。
また、本発明のスライド式シャワーハンガーは、壁面に固定されたガイドレールと、該ガイドレールにスライド可能に支持されシャワーヘッドを掛止し得るフックが設けられたハンガー本体とからなり、該ハンガー本体にはガイドレールに恒常的に圧接しスライド抵抗を及ぼすスプリングと、ガイドレールに押圧片を圧着させる締付ハンドルを設け、該締付ハンドルと押圧片との間に前記スプリングを配設し該押圧片を介してガイドレールにスライド抵抗を及ぼすようにしたことを特徴とする。
【０００７】
【発明の実施の形態】
次に本発明の具体例を図面と共に説明する。図１のこのスライド式シャワーハンガーの外観斜視図、図２にその縦断面図、図３に図２のＡーＡ線断面図、図４に分解斜視図を示す。図において、１は浴室の内壁面に竪に固定された棒状のガイドレールで、該ガイドレール１は両側面にガイド溝２，２が形成されたアルミ製の押出成形品で両端部の止具３，３により壁面に固着されている。
【０００８】
６は筒状のハンガー本体で、該ハンガー本体６には背面にガイドレール１の一方のガイド溝２に遊嵌する脚部７が一体に形成されている。８は中空軸状部品で、該中空軸状部品８は一端部外周に螺子溝が形成された螺子軸部９と、その隣の平軸部１０と、スプライン溝が形成された噛合軸部１１と、外周にＯリング１２を保持し得る大径部１３が形成されてなる。そして該Ｏリング１２がハンガー本体６の内周面に摺接するように該中空軸状部品８をハンガー本体６内に挿入する。１４はシャワーヘッド掛止用のフックで、該フック１４の基部１５に形成された透孔１６内周にスプライン溝が形成され該透孔１６が噛合軸部１１に嵌着されている。そしてハンガー本体６の前面に開設された上下に長い長孔１７より該フック１４が前面に突出している。なお、ハンガー本体６の内面に形成された段部２６に該基部１５が当接することにより該中空軸状部品８は図２中右方向に移動できないようにしている。
【０００９】
１８は円筒状の基部１９を中空軸状部品８の平軸部１０に軸方向に進退動可能に遊嵌すると共に、ハンガー本体６の背面に開設された切欠２０より脚部２１を突出させガイドレール１のもう一方のガイド溝２に該脚部２１を遊嵌させた押圧片である。また、２２は雌螺子筒部２３を螺子軸部９に螺合しハンガー本体６の一端開口より突出さしている締付ハンドルで、該雌螺子筒部２３の先端は前記押圧片１８の基部１９に当接し得る。また、２４は該締付ハンドル２２の雌螺子筒部２３に外嵌されたコイル状のスプリングで、該スプリング２４の先端はその弾性により押圧片１８の基部１９に常時圧接している。２５はハンガー本体６の他端開口に嵌着されたキャップである。なお、上記スプリング２４は雌螺子筒部２３の基部のやや太径とした部分に止着され締付ハンドル２２が螺子軸部９より外れた場合にも離脱し紛失するおそれがないようにしている。
【００１０】
しかしてこのシャワーハンガーでは、雌螺子筒部２３と押圧片１８との間に配設されたスプリング２４の弾性により該押圧片１８が押圧され脚部２１をガイドレール１に恒常的に圧接させるので、ハンガー本体６をガイドレール１に沿って上下させる際に一定のスライド抵抗を掛けることができる。また、長孔１７より突出されたフック１４は基部１５が噛合軸部１１を介して中空軸状部品８に支持されているので、図３に仮想線で示したように傾動し該フック１４に掛止られたシャワーヘッド３０の傾斜角度を自由に変え得るようにしている。そしてＯリング１２がハンガー本体６の内周面に摺接していることで一定の傾動抵抗を及ぼすことができる。
【００１１】
そして締付ハンドル２２を手動操作し雌螺子筒部２３を螺子軸部９により深く螺込することにより該雌螺子筒部２３の先端により押圧片１８の基部１９が押圧され該押圧片１８の脚部２１が他方の脚部７とともにガイドレール１に圧着するので、該ハンガー本体６をガイドレール１に対してスライド不能に固定できると同時に、雌螺子筒部２３が基部１９を押圧しその摩擦抵抗により中空軸状部品８が回転できなくなることでフック１４を傾動不能に固定できる。
【００１２】
なお、この具体例では雌螺子筒部２３と押圧片１８の間にコイル状のスプリング２４を設けた例を示したが、図５に示したような山形に折曲した板バネ状のスプリング２７を図６に示したようにハンガー本体６の背面に装填し該スプリング２７の弾性により脚部２１を押圧しガイドレール１の側面に該脚部２１を圧接させスライド抵抗を生じさせてもよい。またフック１４に傾動抵抗を及ぼす手段としてこの具体例ではＯリング１２を使用したが、その他の弾性部材、又はスプリングにより生じさせてもよい。
【００１３】
【発明の効果】
このように本発明に係るスライド式シャワーハンガーは、ハンガー本体がガイドレールに恒常的にスライド抵抗を及ぼすスプリングと、締付ハンドルを操作することにより固着する押圧片により支持されるようにしたので、締付ハンドルを緩めても該スプリングのスライド抵抗によりハンガー本体が支持され、ズレ落ちるようなことがない。このためハンガー本体を所望の高さにスライドさせた後、締付ハンドルを締付することで片手操作によっても簡単に高さ調節ができるようになる。しかも操作ハンドルを締付することにより押圧片の脚部がガイドレールに直接圧着して確実に固定ができるようにしたので、スプリング力の不足やガイドレールの摩擦面の状態変化により固定が不完全になるおそれもない。また、フックの傾斜角度も同じ締付ハンドルを操作することにより調節できるようにしたので、操作性が向上し所要部品点数も少なくできるなど種々の利点がある。
【図面の簡単な説明】
【図１】本発明に係るスライド式シャワーハンガーの外観斜視図
【図２】図１のスライド式シャワーハンガーの縦断面図。
【図３】図２のＡ−Ａ線断面図。
【図４】図１のスライド式シャワーハンガーの分解斜視図。
【図５】スプリングの他の例を示した斜視図。
【図６】図５のスプリングを用いたハンガー本体の部分背面図。
【符号の説明】
１        ガイドレール
６        ハンガー本体
７        脚部
８        中空軸状部品
９        螺子軸部
１０      平軸部
１１      噛合軸部
１２      Ｏリング
１３      大径部
１４      フック
１７      長孔
１８      押圧片
２１      脚部
２２      締付ハンドル
２３      雌螺子筒部
２４      スプリング
３０      シャワーヘッド
【図１】
0003627307.tif 000002
【図２】
0003627307.tif 000003
【図３】
0003627307.tif 000004
【図４】
0003627307.tif 000005
【図５】
0003627307.tif 000006
【図６】
0003627307.tif 000007